(57)【要約】【課題】外光の悪影響を排除してコントラストを高め、かつ、ゴーストを低減しながら、干渉縞の発生を防止することができる前面フィルタを提供する。【解決手段】ＰＤＰ１と保護層１１との間に、ＢＳ層１２と拡散層１３とを配置する。ＢＳ層１２を設けることにより外光の悪影響を排除してコントラストを高め、かつ、ゴーストを低減することができる。また、拡散層１３を配置することにより、ＰＤＰ１とＢＳ層１２の光吸収部１２ｃとの間に生じるモアレ縞等の干渉縞の発生を防止することができる。【選択図】図４
2006201577.tif 000002
【特許請求の範囲】
【請求項１】
プラズマディスプレイパネルの前面基板よりもさらに観察側に配置される少なくとも１枚のシートからなる前面フィルタであって、
光を吸収する光吸収部が少なくとも一次元方向に多数平行に並べて配置された遮光機能層と、
前記遮光機能層よりも前記プラズマディスプレイパネル側に配置され、光拡散作用を有した拡散層と、
を備える前面フィルタ。
【請求項２】
請求項１に記載の前面フィルタにおいて、
前記拡散層は、光を拡散する微細凹凸形状を有すること、
を特徴とする前面フィルタ。
【請求項３】
請求項２に記載の前面フィルタにおいて、
前記微細凹凸形状は、前記拡散層の前記プラズマディスプレイパネル側の表面に形成されていること、
を特徴とする前面フィルタ。
【請求項４】
請求項１から請求項３までのいずれか１項に記載の前面フィルタにおいて、
前記拡散層は、前記遮光機能層と一体に形成されていること、
を特徴とする前面フィルタ。
【請求項５】
請求項４に記載の前面フィルタにおいて、
前記拡散層は、前記遮光機能層に対して、ラミネート加工、又は、コーティング加工を行うことにより形成されていること、
を特徴とする前面フィルタ。
【請求項６】
請求項１から請求項５までのいずれか１項に記載の前面フィルタにおいて、
前記遮光機能層よりもさらに観察側に、導電性を有する格子を含む電磁波シールド層を備えること、
を特徴とする前面フィルタ。
【請求項７】
請求項１から請求項６までのいずれか１項に記載の前面フィルタにおいて、
反射防止処理された面を少なくとも１面有していること、
を特徴とする前面フィルタ。
【請求項８】
請求項１から請求項７までのいずれか１項に記載の前面フィルタにおいて、
前記遮光機能層と前記拡散層とを合わせたときのヘイズ値は、５〜６０％であること、
を特徴とする前面フィルタ。
【請求項９】
請求項１から請求項８までのいずれか１項に記載の前面フィルタにおいて、
前記遮光機能層は、コントラストを向上する作用、及び／又は、視野角を制御する作用を有していること、
を特徴とする前面フィルタ。
【請求項１０】
請求項９に記載の前面フィルタにおいて、
前記光吸収部は、その並ぶ方向に対して平行、かつ、その並ぶ面に直交する断面における形状が楔形状であって、
前記楔形状の幅広の下底側が前記プラズマディスプレイパネル側に配置されていること、
を特徴とする前面フィルタ。
【請求項１１】
請求項９に記載の前面フィルタにおいて、
前記光吸収部は、その並ぶ方向に対して平行、かつ、その並ぶ面に直交する断面における形状が楔形状であって、
前記楔形状の幅広の下底側が観察側に配置されていること、
を特徴とする前面フィルタ。
【発明の詳細な説明】
【技術分野】
【０００１】
本発明は、プラズマディスプレイパネルの前面基板よりもさらに観察側に配置される前面フィルタに関するものである。
【背景技術】
【０００２】
プラズマディスプレイ（以下、単にＰＤＰ）を用いたテレビセット等の表示装置では、ＰＤＰの前面基板よりもさらに観察側に、保護板が設けられている。
この保護板は、電磁波、赤外線を除去する作用を有するものの、外光によるコントラストの低下が生じたり、ＰＤＰからの映像光がこの保護板により屈折してゴーストとして現れたりする等、映像品質に悪影響を与えてしまう場合もあった。
【０００３】
そこで、従来の保護板に、短冊状の光吸収部を多数平行に並べて配置した遮光機能層（所謂ブラックストライプ）を有した前面フィルタを新たに追加して、外光の悪影響を排除したり、ゴーストを低減したりすることが考えられる。
しかし、遮光機能層は、微細な光吸収部の横縞、又は、縦縞であることから、ＰＤＰの画素ピッチとの関係によりモアレ縞が生じる場合があり、表示画像の視認性を低下させてしまうという問題があった。
【０００４】
なお、ＰＤＰを用いた表示装置において、干渉縞の発生を防止する手法が、特許文献１，２に開示されている。
しかし、これら特許文献１，２に記載の発明では、外光の悪影響を排除したり、ゴーストを低減したりすることができないという問題があった。
【０００５】
また、特許文献１に記載の手法は、ニュートンリングの発生を防止するための技術であり、モアレ縞とは干渉縞の発生要因が異なる。したがって、仮に特許文献１に記載の技術を上述の保護層、又は、前面フィルタに適用したとしても、モアレ縞を解消することはできず、単にニュートンリングの発生を防止することしかできなかった。
【０００６】
さらに、特許文献２に記載の手法では、ＰＤＰの前面基板自体にマット処理を行う必要があることから、前面フィルタの光吸収部の形態が変わるたびにＰＤＰを新たに作り直す必要があり、表示装置のコストアップを招いてしまうという問題があった。
【特許文献１】特開平１０−２８２３１２号公報
【特許文献２】特開２００１−３４１８４号公報
【発明の開示】
【発明が解決しようとする課題】
【０００７】
本発明の課題は、外光の悪影響を排除してコントラストを高め、かつ、ゴーストを低減しながら、干渉縞の発生を防止することができる前面フィルタを提供することである。
【課題を解決するための手段】
【０００８】
本発明は、以下のような解決手段により、前記課題を解決する。なお、理解を容易にするために、本発明の実施例に対応する符号を付して説明するが、これに限定されるものではない。
請求項１の発明は、プラズマディスプレイパネル（１）の前面基板（１ｃ）よりもさらに観察側に配置される少なくとも１枚のシートからなる前面フィルタであって、光を吸収する光吸収部（１２ｃ，４２ｃ）が少なくとも一次元方向に多数平行に並べて配置された遮光機能層（１２，４２）と、前記遮光機能層よりも前記プラズマディスプレイパネル側に配置され、光拡散作用を有した拡散層（１３，２３）と、を備える前面フィルタ（１０，２０，３０，４０）である。
【０００９】
請求項２の発明は、請求項１に記載の前面フィルタにおいて、前記拡散層（１３，２３）は、光を拡散する微細凹凸形状を有すること、を特徴とする前面フィルタ（１０，２０，３０，４０）である。
請求項３の発明は、請求項２に記載の前面フィルタにおいて、前記微細凹凸形状は、前記拡散層（１３，２３）の前記プラズマディスプレイパネル（１）側の表面に形成されていること、を特徴とする前面フィルタ（１０，２０，３０，４０）である。
請求項４の発明は、請求項１から請求項３までのいずれか１項に記載の前面フィルタにおいて、前記拡散層（１３，２３）は、前記遮光機能層（１２，４２）と一体に形成されていること、を特徴とする前面フィルタ（１０，３０，４０）である。
請求項５の発明は、請求項４に記載の前面フィルタにおいて、前記拡散層（１３，２３）は、前記遮光機能層（１２，４２）に対して、ラミネート加工、又は、コーティング加工を行うことにより形成されていること、を特徴とする前面フィルタ（１０，３０，４０）である。
請求項６の発明は、請求項１から請求項５までのいずれか１項に記載の前面フィルタにおいて、前記遮光機能層（１２，４２）よりもさらに観察側に、導電性を有する格子を含む電磁波シールド層（１１）を備えること、を特徴とする前面フィルタ（１０，２０，３０，４０）である。
請求項７の発明は、請求項１から請求項６までのいずれか１項に記載の前面フィルタにおいて、反射防止処理された面を少なくとも１面有していること、を特徴とする前面フィルタ（１０，２０，３０，４０）である。
請求項８の発明は、請求項１から請求項７までのいずれか１項に記載の前面フィルタにおいて、前記遮光機能層（１２，４２）と前記拡散層（１３，２３）とを合わせたときのヘイズ値は、５〜６０％であること、を特徴とする前面フィルタ（１０，２０，３０，４０）である。
請求項９の発明は、請求項１から請求項８までのいずれか１項に記載の前面フィルタにおいて、前記遮光機能層（１２，４２）は、コントラストを向上する作用、及び／又は、視野角を制御する作用を有していること、を特徴とする前面フィルタ（１０，２０，３０，４０）である。
請求項１０の発明は、請求項９に記載の前面フィルタにおいて、前記光吸収部（１２ｃ）は、その並ぶ方向に対して平行、かつ、その並ぶ面に直交する断面における形状が楔形状であって、前記楔形状の幅広の下底側が前記プラズマディスプレイパネル（１）側に配置されていること、を特徴とする前面フィルタ（１０，２０，３０）である。
請求項１１の発明は、請求項９に記載の前面フィルタにおいて、前記光吸収部（４２ｃ）は、その並ぶ方向に対して平行、かつ、その並ぶ面に直交する断面における形状が楔形状であって、前記楔形状の幅広の下底側が観察側に配置されていること、を特徴とする前面フィルタ（４０）である。
【発明の効果】
【００１０】
本発明によれば、以下の効果を奏することができる。
（１）遮光機能層よりもプラズマディスプレイパネル側に配置され、光拡散作用を有した拡散層を備えるので、コントラストが高く、ゴーストの発生もない上に、干渉縞も防止することができる。
【００１１】
（２）拡散層は、光を拡散する微細凹凸形状を有するので、拡散層のヘイズ値を簡単に任意の値とすることができ、また、安価とすることができる。
【００１２】
（３）微細凹凸形状は、拡散層のプラズマディスプレイパネル側の表面に形成されているので、プラズマディスプレイパネルと前面フィルタとの間に空気層を設けていることにより生じるニュートンリングについても防止することができる。
【００１３】
（４）拡散層は、遮光機能層と一体に形成されているので、前面フィルタの保持を簡単確実に行うことができる。
【００１４】
（５）拡散層は、遮光機能層に対して、ラミネート加工、又は、コーティング加工を行うことにより形成されているので、汎用品を使用したり、拡散層の形成を簡単にしたりすることができる。
【００１５】
（６）遮光機能層よりもさらに観察側に、導電性を有する格子を含む電磁波シールド層を備えるので、電磁波が出射することを防止しながら、電磁波シールド層の格子に起因するモアレ縞の発生も防止することができる。
【００１６】
（７）反射防止処理された面を少なくとも１面有しているので、不要な反射を防止することができ、より鮮明な映像を観察することができる。
【００１７】
（８）遮光機能層と拡散層とを合わせたときのヘイズ値は、５〜６０％であるので、干渉縞を確実に防止しながらも、映像を明るく鮮明に表示することができる。
【００１８】
（９）遮光機能層は、コントラストを向上する作用、及び／又は、視野角を制御する作用を有しているので、視認性の高い表示を行うことができる。
【００１９】
（１０）光吸収部は、楔形状の幅広の下底側がプラズマディスプレイパネル側に配置されているので、コントラストの向上効果の高い前面フィルタとすることができる。
【００２０】
（１１）光吸収部は、楔形状の幅広の下底側が観察側に配置されているので、視野角を制御する効果の高い前面フィルタとすることができる。
【発明を実施するための最良の形態】
【００２１】
外光の悪影響を排除してコントラストを高め、かつ、ゴーストを低減しながら、干渉縞の発生を防止するという目的を、遮光機能層と拡散層とを組み合わせて最適な配置とすることにより実現した。
【実施例１】
【００２２】
図１は、本発明による表示装置の実施例１の構成を示す斜視図である。なお、図１において、紙面手前側が表示装置の背面側であり、紙面奥側が観察側である。また、図１を含め、以下に示す各図は、説明のため寸法、形状を適宜誇張して示している。
本実施例における表示装置１００は、ＰＤＰ（プラズマディスプレイパネル）１と、ＰＤＰ１の観察側に設けられた前面フィルタ１０とを有している。
図２は、図１からＰＤＰ１を省略して前面フィルタ１０のみとし、さらに、前面フィルタ１０の一部を透視して示した図である。
図３は、図１中に示した断面ＡＡを示す図である。
図４は、図３を拡大して示した図である。
【００２３】
ＰＤＰ１は、背面基板１ａと前面基板１ｃとにより挟まれた部分に放電セル１ｂを有し、前面基板１ｃ側に映像光が出射されるプラズマディスプレイパネルである。
前面フィルタ１０は、保護層１１，ＢＳ層１２，拡散層１３を有し、ＰＤＰ１の観察側に、前面基板１ｃから僅かに隙間を空けて配置されている。
保護層１１は、導電性を有した格子を全体に含んだ電磁波シールド層であって、最も観察側に配置されており、ＰＤＰ１から発生する電磁波が観察者に対して照射されることを防止している。また、保護層１１には、可視光以外の赤外線、及び、紫外線をカットする不図示の層が含まれている。なお、図中には、保護層１１を２層で表しているが、これは、最も観察側に、反射防止処理（アンチリフレクション処理）層、映り込み防止処理（アンチグレア処理）層などを適宜配置してもよいことを表している。
【００２４】
ＢＳ層１２は、その部分に到達した映像光、及び、外光を吸収する遮光機能層であり、保護層１１と拡散層１３との間に配置されている。ＢＳ層１２は、ベース層１２ａ，光透過部１２ｂ，光吸収部１２ｃ，ブラックストライプ１２ｄを有している。
光透過部１２ｂは、平行平板状に形成されているベース層１２ａのＰＤＰ１側の面上に、紫外線硬化樹脂を用いて形成された断面が略台形形状の部分である。光透過部１２ｂの断面形状の台形形状は、幅広の下底側が観察側になるように形成されている。
光吸収部１２ｃは、図４に示すように断面形状が楔形状であって、この楔形状の幅広の下底側がＰＤＰ１側となるように形成されている。また、光吸収部１２ｃは、図２に示すように、上述の楔形状の断面形状が水平方向に線状に延在しており、これが垂直方向にピッチ１００μｍで多数平行に並んでいる。
また、光吸収部１２ｃは、透明樹脂１２１中に黒色の光吸収粒子１２２が添加された材料により形成されている。なお、光吸収部１２ｃには、この他、カーボン等の顔料又は所定の染料により所定濃度に着色した材料により形成してもよい。
ブラックストライプ１２ｄは、光吸収部１２ｃの楔形状の幅広の下底部分に形成されている。なお、本実施例では、ブラックストライプ１２ｄを追加することにより、光吸収部１２ｃの作用を補助するようにしているが、ブラックストライプを追加せずに光吸収部のみとしてもよい。
【００２５】
ここで、本実施例におけるＢＳ層１２の仕様を以下に示す。なお、開口率とは、ＢＳ層１２をＰＤＰ１側から観察したときに、全面積に対してブラックストライプ１２ｄを除いた光が透過する面積の比率を示し、台形テーパー角度とは、断面形状の台形の斜面部分がＢＳ層１２と保護層１１との境界面（出射面）における法線となす角度である。
開口率：７０％
光透過部１２ｂの並ぶピッチ：１００μｍ
光透過部１２ｂの素材の屈折率：１．５６
透明樹脂１２１の屈折率：１．５５
光吸収部１２ｃの上底面幅：７μｍ
台形テーパー角度：６°
光吸収粒子１２２の粒径：５μｍ
光吸収粒子１２２の濃度：２５％
【００２６】
拡散層１３は、ＢＳ層１２のＰＤＰ１側に形成された光拡散作用を有した微細凹凸形状からなる所謂マット処理面である。本実施例における拡散層１３は、紫外線硬化樹脂１３ａにφ８μｍのシリカビーズ１３ｂを紫外線硬化樹脂１３ａに対する重量比で１０％添加したものを、ＷＥＴ膜厚８μｍでＢＳ層１２のＰＤＰ１側表面にコーティング加工して硬化させたものである。
【００２７】
図５は、ＢＳ層１２及び拡散層１３の製造工程を示す図である。
まず、ベース層１２ａを用意し（図５（ａ））、その片面に紫外線硬化樹脂を用いて光透過部１２ｂを形成する（図５（ｂ））。この光透過部１２ｂの形成は、光透過部１２ｂの反転形状を形成されたロール金型とベース層１２ａとの間に紫外線硬化樹脂を挟んだ状態で紫外線を照射することにより行う。
上述の工程により形成された光透過部１２ｂの間に、透明樹脂１２１中に黒色の光吸収粒子１２２が添加された材料をスキージする等して光吸収部１２ｃを形成し、ブラックストライプ１２ｄを形成することでＢＳ層１２を完成する（図５（ｃ））。
【００２８】
次に、ＢＳ層１２上に拡散層１３を形成する。上述したように、本実施例における拡散層１３は、紫外線硬化樹脂１３ａにφ８μｍのシリカビーズ１３ｂを紫外線硬化樹脂１３ａに対する重量比で１０％添加したものを、ＷＥＴ膜厚８μｍでＢＳ層１２のＰＤＰ１側表面にコーティングし硬化させたものである。硬化前においては、シリカビーズ１３ｂの直径と紫外線硬化樹脂１３ａの膜厚が等しいが、紫外線を照射（図５（ｄ））することにより、硬化後（図５（ｅ））の紫外線硬化樹脂１３ａの膜厚は、収縮することにより略６μｍとなり、その結果、シリカビーズの一部が突出して残り、微細凹凸形状を形成することができる。この微細凹凸形状によって、拡散層１３は、光拡散作用を有することとなる。
【００２９】
なお、拡散層１３の厚さは、１〜２０μｍ程度が望ましいが、カールやブロッキングを防ぐために、より好ましくは１〜１０μｍ程度がよい。また、シリカビーズを用いた例を示しているが、これ以外の光拡散ビーズを用いてもよく、その光拡散ビーズの平均粒径は、３〜２０μｍ程度が望ましいが、微細な凹凸を形成するために、より好ましくは、硬化皮膜の平均膜厚の１〜２倍程度がよい。なお、光拡散ビーズの配合量は、光拡散ビーズの平均粒径、コーティングの膜厚にもよるが、紫外線硬化樹脂等のエネルギー線硬化型の樹脂に対する重量比で０．５〜２０％程度が好ましい。さらに、材質、平均粒径の異なる光拡散ビーズを混合して用いてもよい。
【００３０】
以上のようにして得られたＢＳ層１２上に拡散層１３の形成されたシートを、別途形成しておいた保護層１１に対してラミネートすることにより一体化して、前面フィルタ１０が得られる。
ここで、前面フィルタ１０の内で、ＢＳ層１２と拡散層１３とを合わせたときのヘイズ値は、５〜６０％であることが望ましい。
表１は、ＢＳ層１２と拡散層１３とを合わせたときのヘイズ値が表示される映像にどのような影響を与えるのかを示している。
【００３１】
【表１】
2006201577.tif 000003
【００３２】
表１中に示したヘイズ値とは、ＢＳ層１２と拡散層１３とを合わせたときの値を示している。したがって、保護層１１と一体化されてしまった後には、保護層１１と分離した後に測定するとよい。なお、ヘイズ値の測定は、実際の使用状態を考慮して、ＰＤＰ１側から光が入射したときの値となっている。
【００３３】
表１を見て分かるように、ヘイズ値が増加するにつれて徐々にモアレ縞が確認されなくなり、ヘイズ値１０％以上では、全く認識できなかった。ただし、ヘイズ値５％以上であれば通常観察範囲内ではモアレ縞は認識できず、十分使用可能である。また、ヘイズ値をさらに高くすると、コントラストと解像度の低下が発生し、８０％以上では明らかに画像の品位が劣化する。本実施例では、ヘイズ値が２０％であることが最良であるといえる。
そこで、本実施例では、ＢＳ層１２と拡散層１３とを合わせたときのヘイズ値が２０％となるように、上述したシリカビーズ１３ｂを紫外線硬化樹脂１３ａに混練する重量比を決めている。
【００３４】
ここで、比較例として、本実施例の構成から拡散層１３のみを削除した前面フィルタを用意し、本実施例における前面フィルタ１０と比較した。
比較例の前面フィルタをＰＤＰ１と組み合わせた表示装置では、表示される映像自体の状態は、明るいものの若干のゴーストが確認され、また、外光が明るい場合には、コントラストの低下が著しかった。
さらに、比較例では、複数種類のモアレ縞が確認された。解析の結果、１つは、ＰＤＰ１と光吸収部１２ｃとの間で生じるモアレ縞であり、もう１つは、僅かであるものの、ＰＤＰ１と保護層１１内の電磁シールド用の格子との間で生じるモアレ縞であった。
【００３５】
一方、上述した前面フィルタ１０をＰＤＰ１と組み合わせて配置した本実施例の表示装置では、ＢＳ層１２を設けたことによる作用によって、外光によるコントラストの低下がなく、コントラストの高い映像を表示することができた。また、ゴーストの発生もなく、きわめて鮮明な映像であった。さらに、ＢＳ層１２を設けたことによるモアレ縞の発生も確認されなかった。さらにまた、付加的な効果として、保護層１１内に含まれている電磁シールドのための導電性を有した格子に起因するモアレ縞、及び、ＰＤＰ１と前面フィルタ１０との間に設けている空気層に起因するニュートンリングについても防止することができた。
【実施例２】
【００３６】
図６は、実施例２における表示装置２００を図３と同様な形式で示した図である。
図７は、図６を拡大して示した図である。
実施例２は、実施例１における保護層１１を別体とし、また実施例１における拡散層１３に相当する部分を拡散層２３に置き換えた形態である。したがって、前述した実施例１と同様の機能を果たす部分には、同一の符号を付して、重複する説明を適宜省略する。
拡散層２３は、ＰＤＰ１とＢＳ層１２との間に配置された光拡散性を有したシートであり、市販の汎用品を用いている。拡散層２３は、ＢＳ層１２に対してラミネートされて一体化されている。
本実施例においても、ＢＳ層１２と拡散層２３とを合わせたヘイズ値は、実施例１と同様に２０％としている。
そして、本実施例における表示装置２００では、実施例１と同様に、コントラストが高く、ゴーストの発生もない、きわめて鮮明な映像を表示することができ、モアレ縞の発生も確認されなかった。
本実施例によれば、実施例１と同様な効果を、より安価に得ることができる。
【実施例３】
【００３７】
図８は、実施例３における表示装置３００を図６と同様な形式で示した図である。
図９は、図８を拡大して示した図である。
実施例３は、実施例２におけるＢＳ層１２と拡散層２３を、保護層１１と一体とした形態である。したがって、前述した実施例２と同様の機能を果たす部分には、同一の符号を付して、重複する説明を適宜省略する。
ＢＳ層１２及び拡散層２３は、保護層１１に対してラミネートされている。したがって、前面フィルタ３０を実施例１と同様な一枚構成とすることができた。これにより、前面フィルタ３０の支持構造（不図示）がより簡単となる上に、拡散層２３をより安定して保持することができる。
本実施例によれば、実施例２よりもラミネート加工の工程が増えるものの、拡散層２３が安価であることから、実施例１よりも安価に、実施例１と同等な表示特性を有して安定した表示装置とすることができる。
【実施例４】
【００３８】
図１０は、実施例４における表示装置４００を図４と同様な形式で示した図である。
実施例４は、実施例１におけるＢＳ層１２の形態を変更してＢＳ層４２とした例である。したがって、前述した実施例１と同様の機能を果たす部分には、同一の符号を付して、重複する説明を適宜省略する。
ＢＳ層４２は、その部分に到達した映像光、及び、外光を吸収する遮光機能層である。ＢＳ層４２は、ベース層４２ａ，光透過部４２ｂ，光吸収部４２ｃを有している。
光透過部４２ｂは、平行平板状に形成されているベース層４２ａの観察側の面上に、紫外線硬化樹脂を用いて形成された断面が略台形形状の部分である。光透過部４２ｂの断面形状の台形形状は、幅広の下底側がＰＤＰ１側になるように形成されている。
光吸収部４２ｃは、図４に示すように断面形状が楔形状であって、この楔形状の幅広の下底側が観察側となるように形成されている。また、光吸収部４２ｃは、実施例１における光吸収部１２ｃと同様に、上述の楔形状の断面形状が水平方向に線状に延在しており、これが垂直方向にピッチ１０８μｍで多数平行に並んでいる。
【００３９】
このように、本実施例におけるＢＳ層４２は、実施例１におけるＢＳ層１２の向き（表裏）を反転した（裏返した）様な形態となっている。これにより、ＢＳ層４２は、実施例１におけるＢＳ層１２と同様な不要光をカットする作用に加えて、映像光の出射方向を制御することが可能となる。
【００４０】
（変形例）
以上説明した実施例に限定されることなく、種々の変形や変更が可能であって、それらも本発明の均等の範囲内である。
例えば、各実施例において、前面フィルタの任意の表面に、反射防止処理、帯電防止処理等、各種の機能を追加する処理を行ってもよい。
【００４１】
また、実施例１において、ＢＳ層１２上に直接拡散層１３を形成した例を示したが、これに限らず、例えば、透明なフィルムに対して拡散層の形成を予め行った後に、その拡散層が形成されたフィルムをＢＳ層１２上にラミネート等してもよい。
さらに、各実施例において、拡散層は、微細凹凸形状を有した例を示したが、これに限らず、光拡散作用を有していればよく、例えば、所謂乳白色拡散剤を薄く塗布するような形態としてもよい。
【００４２】
さらにまた、各実施例において、光吸収部は、断面形状が台形である例（図１１（ａ））を示したが、これに限らず、例えば、図１１（ｂ）に示すように、台形の斜辺に相当する部分が曲線であってもよいし、図１１（ｃ）に示すように、複数の直線により形成されていてもよい。
【図面の簡単な説明】
【００４３】
【図１】本発明による表示装置の実施例１の構成を示す斜視図である。
【図２】図１からＰＤＰ１を省略して前面フィルタ１０のみとし、さらに、前面フィルタ１０の一部を透視して示した図である。
【図３】図１中に示した断面ＡＡを示す図である。
【図４】図３を拡大して示した図である。
【図５】ＢＳ層１２及び拡散層１３の製造工程を示す図である。
【図６】実施例２における表示装置２００を図３と同様な形式で示した図である。
【図７】図６を拡大して示した図である。
【図８】実施例３における表示装置３００を図６と同様な形式で示した図である。
【図９】図８を拡大して示した図である。
【図１０】実施例４における表示装置４００を図４と同様な形式で示した図である。
【図１１】光吸収部の変形例を示す図である。
【符号の説明】
【００４４】
１  ＰＤＰ
１ａ  背面基板
１ｂ  放電セル
１ｃ  前面基板
１０  前面フィルタ
１１  保護層
１２  ＢＳ層
１２ａ  ベース層
１２ｂ  光透過部
１２ｃ  光吸収部
１２ｄ  ブラックストライプ
１３  拡散層
１３ａ  紫外線硬化樹脂
１３ｂ  シリカビーズ
【図１】
2006201577.tif 000004
【図２】
2006201577.tif 000005
【図３】
2006201577.tif 000006
【図４】
2006201577.tif 000007
【図５】
2006201577.tif 000008
【図６】
2006201577.tif 000009
【図７】
2006201577.tif 000010
【図８】
2006201577.tif 000011
【図９】
2006201577.tif 000012
【図１０】
2006201577.tif 000013
【図１１】
2006201577.tif 000014